【手続補正書】
【提出日】平成19年3月19日(2007.3.19)
【手続補正１】
【補正対象書類名】明細書
【補正対象項目名】００１４
【補正方法】変更
【補正の内容】
【００１４】
本明細書では、記載を簡略化するために送信機をシンプルなモデルにより記載する。送信機の詳細な局面の多くは本発明と直接は関連せず、当業者に良く知られているため、意図的に省略する。上記のような要素は、Ｉ−Ｑ変調、アップコンバージョンおよびフィルタリングを含む。本発明の議論では、送信機は２つのブロック、ＡＧＣアンプと信号に依存するゲイン変動を表す増幅ステージとによりかたどられる。この信号に依存するゲイン変動を有する増幅ステージは、一般的にはパワーアンプ（ＰＡ）であるが、ミキサーといった他の要素も含み得る。このことに構わず、信号に依存するゲイン変動の総量をゲイン増ΔＧとしてモデル化する。
【手続補正２】
【補正対象書類名】明細書
【補正対象項目名】００１６
【補正方法】変更
【補正の内容】
【００１６】
図１に示されるように、フレーム生成器１００は例えばデータエンコーダおよび変調器であるが、信号ｓを生成し、信号ｓは送信機１２０のアンプ１２４に送信される。ゲイン増ΔＧを表す増幅ステージ（段）１２６は、ＡＧＣアンプ１２４に直列接続する。アンプ１２４はアンプ制御器１０５により制御され、ゲイン増ΔＧ１２６の非線形性を軽減する。
【手続補正３】
【補正対象書類名】明細書
【補正対象項目名】００１７
【補正方法】変更
【補正の内容】
【００１７】
送信信号は、制御信号ｙに応じてゲインをＡＧＣアンプ１２４により調節され、次いで、信号に依存するゲイン変動ΔＧ１２６を表す増幅ステージ１２６に供給される。ゲイン増ΔＧ１２６の値は、入力信号レベル、入力信号データレートおよび入力信号フォーマットに依存する。以下の記述では、温度、周波数およびバッテリー電圧に関連するゲイン変動といったゲイン変動の源を簡略化のために無視する。その代わりに、ΔＧおよびΔＧに強く関連する局面に議論を集中する。このΔＧはＡＧＣ制御特性であり、このＡＧＣ制御特性は、電圧制御したＡＧＣアンプ１２４の制御電圧の関数として、ＡＧＣアンプ１２４のゲインをｄＢ（デシベル）表示したものである。本明細書では、「基準信号」または「基準データレートおよび信号フォーマット」は校正手順に用いるデータレートおよび信号フォーマットを意味し、多くの場合、このデータレートおよび信号フォーマットは任意に選択される。
【手続補正４】
【補正対象書類名】明細書
【補正対象項目名】００１８
【補正方法】変更
【補正の内容】
【００１８】
フレーム生成器１００はエンコードされ変調された信号フレームを生成し、この信号フレームは複数の対応しているデータレートのうちの１つのデータレートで送信される。このデータレートは時と共に変わり得る。出力信号ｓは、フレーム生成器により生成されるエンコードされ変調された信号フレームを含むが、出力信号ｓの総パワーは、全てのデー
タレートに対して同じ平均パワーレベルに規格化される。各コードチャンネルの相対パワーもデジタル手段により所望の値に正確に調節される。データレート・信号フォーマット指示信号ｒもフレーム生成器により同時に生成される。ある実施形態では、信号ｓとアンプ制御信号ｙとの間の時間アライメントを確保するために、遅延ブロック「τ」１１４を用いる。当業者には理解されるように、信号ｓと、対応するアンプ制御信号との時間アライメントが保たれる限り、遅延ブロック「τ」１１４は実装した遅延素子として存在しなくてもよい。遅延アライメントおよびＤ／Ａ１  １１６におけるデジタル・アナログ変換を行った後に、送信信号ｓは送信機１２０に送られる。送信される前に、信号ｓはＡＧＣアンプ１２４によりゲインを調節され、信号に依存するゲインΔＧ１２６の影響を受ける。
【手続補正５】
【補正対象書類名】明細書
【補正対象項目名】００１９
【補正方法】変更
【補正の内容】
【００１９】
第２のデータ経路では、データレート・信号フォーマット指示信号ｒはフレーム生成器１００により供給され、アンプ制御器１０５の第１のマッパ１０６に受け取られる。第１のマッパ１０６はデータレート・信号フォーマットｒからゲイン調節量ｄ（ｒ）までのマッピングを含み、ゲイン調節量ｄ（ｒ）は、信号に依存するゲインΔＧ１２６の非線形性が十分に補償されることを確かめる校正プロセスを介して生成される。以下に、この校正プロセスをより詳しく議論する。調節ｄ（ｒ）は、ｄＢ値またはｄＢ値のスケール倍率（ｆａｃｔｏｒ）に比例する。選択した基準データレート（ｒｒｅｆと表す）に対して、値ｄ（ｒｒｅｆ）を０ｄＢにセットする。基準電源１０８は、アンテナにおいて期待されるｄＢｍ（または、ｄ（ｒ）と同じスケール倍率によるｄＢｍに比例する単位）における所望の基準パワーレベルｐを生成する。当業者には理解されるように、アンテナにおいて期待されるパワーのためのｐにおいて用いるスケール倍率に、ゲインオフセットのためのｄ（ｒ）において用いるスケール倍率と同じスケール倍率を確保することによりシステムをシンプルにし得る。ｃｄｍａ２０００規格のモバイル機器において、基準パワーレベルｐは、開ループおよび閉ループパワー制御システムの両方から派生する。基準パワーレベルｐのこの派生は当業者にはよく理解される。ｄ（ｒ）およびｐは第２のマッパ１１０に供給されるが、加算器１１２により結合された後であることが好ましい。第１のマッパ１０６の適切な校正により、ｄ（ｒ）とｐの加法結合に由来する値は、信号ｓの所望の増幅度と関連する。この値は第２のマッパ１１０に供給され、アンプ制御信号ｙをマッピングする。第２のマッパ１１０のマッピングテーブル値は、ＡＧＣアンプ１２４、信号に依存するゲイン変動１２６、および送信機１２０の他の要素に関する特定の実装情報を反映する校正手順により決定される。アンプ制御信号ｙはアンプ１２４の制御入力に供給されるが、ＡＧＣアンプ１２４の出力において信号ｓと結局はアライメントされることは好ましい。
【手続補正６】
【補正対象書類名】明細書
【補正対象項目名】００２０
【補正方法】変更
【補正の内容】
【００２０】
好ましくは、信号ｓおよびアンプ制御信号ｙは、それぞれデジタル・アナログ変換器１１６およびデジタル・アナログ変換器１１８により、デジタル信号からそのデジタル信号のアナログ表示に変換される。アンプ制御信号ｙのアナログ表示は、ＬＰＦ１２２によるローパスフィルタリングされ得、アンプ１２４の制御をスムーズにする。次いで、ＡＧＣアンプ１２４は、スムーズ化したアンプ制御信号ｙ’（ｙのアナログ表示またはｙのアナログ表示のフィルターをかけたもの）に応じて、信号ｓのアナログ表示を増幅する。この増幅の結果、信号に依存するゲインΔＧ１２６を補償するように、信号ｓは増幅される。
【手続補正７】
【補正対象書類名】明細書
【補正対象項目名】００２１
【補正方法】変更
【補正の内容】
【００２１】
第１のマッパ１０６および第２のマッパ１１０のマッピングテーブル値を校正する方法を以下に記載する。基準データレートおよび信号フォーマットを参照しながら、フレーム生成器１００により生成される基準信号を用いることにより、第２のマッパ１１０の出力値ｙは、ここに示す実施形態のシステムによって以下のように校正される。基準データレート・信号フォーマットｒｒｅｆに対して、値ｄ（ｒｒｅｆ）は０ｄＢに定められ、各所与の値ｐに対して、第２のマッパ１１０は、アンテナにおいて計測される送信基準パワーが期待値ｐになるように、ｐに相当する出力値ｙを調節する。値ｙが決定されるこの方法により、送信機における非線形関係、すなわちアンプ制御信号ｙの値の関数としてのアンプ１２４のゲインのｄＢ表示、および入力信号レベルの関数としてのΔＧ１２６の変動を、この校正のための入力信号が選択された基準データレートおよび信号フォーマットである場合には、補償済みであることに留意されたい。例えばＩＳ−２０００−２においてＲＣ１を基準信号として選択する場合には、基準パワーは全ゲートオン送信パワーである。第２のマッパに格納される校正された値ｙにより、基準電源１０８に生成されるすべての値ｐに対して、アンテナにおいて期待する全送信パワーｐが得られる。
【手続補正８】
【補正対象書類名】明細書
【補正対象項目名】００２２
【補正方法】変更
【補正の内容】
【００２２】
第１のマッパ１０６の出力ｄ（ｒ）は、好ましくは以下のように校正される。すなわち、モバイル機器が対応する各データレートおよび信号フォーマットｒに対して、およびあらかじめ選択したｐの値に対して、アンテナにおいて計測されるデータレートｒに対する送信出力基準パワーがｐであるように値ｄ（ｒ）は調節される。値ｄ（ｒ）を決定するこの方法により、ｄ（ｒ）が２つの部分から構成されることに留意されたい。第１の部分は、ｒとｒｒｅｆに同じ基準パワーが与えられる場合には、ｒとｒｒｅｆとの全送信パワーのｄＢ差を補償する。ｒおよびｒｒｅｆは、それぞれ電流、および基準データレート・信号フォーマットである。一般的には、この部分を規格に従い前もって計算することはできる。第２の部分は、データレート・信号フォーマットｒとｒｒｅｆとのΔＧ１２６のゲイン差を補償する。このゲイン差はｒとｒｒｅｆとの間の信号分布の変化により生じる。一般的には、第２の部分を前もって計算することはできないが、大きな場合には校正する必要がある。データレートおよび信号フォーマットが変化した場合には、常に適切なゲイン調節ｄ（ｒ）を同時に加える。これは、上述したように、２つの経路が遅延アライメントしているためである。上記の校正において、データレートおよび信号フォーマットの変化により生じるｄＢゲイン変動は、信号レベルの変化により生じるｄＢゲイン変動にほとんど依存しないことを想定しているが、これは関心のある動作の大部分において正しい。